(57)【特許請求の範囲】
【請求項１】
画像を表示可能な第１の表示装置と、前記画像のデータを受信可能であって受信したデータに基づく画像を表示可能な第２の表示装置と、を備える表示システムにおいて、
前記第１の表示装置は、
前記第２の表示装置の少なくとも一点を認識する認識手段と、
前記認識される点が一点又は二点である場合に、前記画像の一部の画像領域であって当該一点又は二点を含む画像領域を複数表示する第１表示手段と、
前記表示される複数の画像領域の内、ユーザによって選択される１の画像領域を決定する画像領域決定手段と、
前記決定された画像領域の画像データを前記第２の表示装置に送信する送信手段と、
を備え、
前記第２の表示装置は、前記決定された画像領域に対応する画像を表示する第２表示手段を備えていることを特徴とする表示システム。
【請求項２】
前記認識手段は、前記第２の表示装置が前記画像上に近接又は接触することによって少なくとも一点を認識することを特徴とする請求項１に記載の表示システム。
【請求項３】
請求項１又は２に記載の表示システムにおける第１の表示装置であって、
前記認識手段と、
前記第１表示手段と、
前記画像領域決定手段と、
前記送信手段と、
を備えていることを特徴とする第１の表示装置。
【請求項４】
請求項１又は２に記載の表示システムにおける第２の表示装置であって、
前記第１の表示装置で決定された画像領域の画像データを受信する受信手段と、
前記第２表示手段と、
を備えていることを特徴とする第２の表示装置。
【請求項５】
コンピュータを請求項３に記載の第１の表示装置として機能させることを特徴とする制御プログラム。
【請求項６】
コンピュータを請求項４に記載の第２の表示装置として機能させることを特徴とする制御プログラム。
【請求項７】
請求項５又は６に記載の制御プログラムがコンピュータ読み取り可能に記録されていることを特徴とする記録媒体。
【発明の詳細な説明】
【技術分野】
【０００１】
本願は、表示装置に表示された画像を他の表示装置にて表示可能な表示システム等に関する。
【背景技術】
【０００２】
近年、情報機器の発達に伴い、薄型の情報表示装置のニーズが増しており、当該情報表示装置の一形態として一般に電子ペーパと称される情報表示装置が存在する。
【０００３】
従来からこのような電子ペーパの利用形態として、所定の表示装置上に表示された画像を、携帯可能な電子ペーパに表示する表示システムが知られている（特許文献１参照）。
【０００４】
特許文献１に記載の表示システムは、パソコンなどの表示装置と電子ペーパとを備え、非接触で通信することにより表示装置が電子ペーパを認識し、表示装置に表示されている画像情報を電子ペーパの表示形態に合わせて画像処理した後、当該画像処理された画像情報を電子ペーパに無線通信を介して送信し、当該電子ペーパにてその画像情報を表示させるものである。
【０００５】
【特許文献１】特開２００５−３１６６７２号公報
【発明の開示】
【発明が解決しようとする課題】
【０００６】
しかしながら、特許文献１に示す表示システムは、表示装置に表示された画像の全部が電子ペーパに表示されるものであって、当該電子ペーパでは表示装置に表示されている一部の画像のみを表示することはできない。
【０００７】
本願は、このような問題の解消を一つの課題とし、その目的の一例は、表示装置に表示されている画像のうちユーザによって特定された部位のみの画像を、容易に他の表示装置に表示可能な表示システムを提供することにある。
【課題を解決するための手段】
【０００８】
上記課題を解決するために、請求項１に記載の表示システムは、画像を表示可能な第１の表示装置と、前記画像のデータを受信可能であって受信したデータに基づく画像を表示可能な第２の表示装置と、を備える表示システムにおいて、前記第１の表示装置は、前記第２の表示装置の少なくとも一点を認識する認識手段と、前記認識される点が一点又は二点である場合に、前記画像の一部の画像領域であって当該一点又は二点を含む画像領域を複数表示する第１表示手段と、前記表示される複数の画像領域の内、ユーザによって選択される１の画像領域を決定する画像領域決定手段と、前記決定された画像領域の画像データを前記第２の表示装置に送信する送信手段と、を備え、前記第２の表示装置は、前記決定された画像領域に対応する画像を表示する第２表示手段を備えていることを特徴とする。
【０００９】
また、請求項３に記載の第１の表示装置は、請求項１又は２に記載の表示システムにおける第１の表示装置であって、前記認識手段と、前記第１表示手段と、前記画像領域決定手段と、前記送信手段と、を備えていることを特徴とする。
【００１０】
また、請求項４に記載の第２の表示装置は、請求項１又は２に記載の表示システムにおける第２の表示装置であって、前記第１の表示装置で決定された画像領域の画像データを受信する受信手段と、前記第２表示手段と、を備えていることを特徴とする。
【００１１】
また、請求項５に記載の制御プログラムは、コンピュータを請求項３に記載の第１の表示装置として機能させることを特徴とする。
【００１２】
また、請求項６に記載の制御プログラムは、コンピュータを請求項４に記載の第２の表示装置として機能させることを特徴とする。
【００１３】
また、請求項７に記載の記録媒体は、請求項５又は６に記載の制御プログラムがコンピュータ読み取り可能に記録されていることを特徴とする。
【発明を実施するための最良の形態】
【００１４】
以下、本願を実施するための最良の形態について、図面を用いて説明する。なお、以下の説明において電子ペーパについては一般的な構成を適用するため説明を省略するものとする。
【００１５】
−表示システムの構成等−
まず、図１及び図２を参照して、本実施形態における表示システムの構成及び機能について説明する。図１は表示システムの使用形態の一例を示す図、図２は表示システムの概略構成図である。
【００１６】
図１及び図２に示すように、表示システムＳは、ＰＤＰ装置１０と、無線回線２０を用いて前記ＰＤＰ装置１０と通信可能な電子ペーパ３０と、を含んで構成される。なお、本実施形態のＰＤＰ装置１０は、本願の第１の表示装置として機能し、本実施形態の電子ペーパ３０は、本願の第２の表示装置として機能するものである。
【００１７】
図１に示すように、ＰＤＰ装置１０は、所定の画像を表示可能なＰＤＰ（Plasma Display Panel）からなる表示部１１を備え、当該表示部１１には、静電容量結合方式のタッチパネルセンサ（以下、単に「センサ部１３」と称する。）が設けられている。一方、電子ペーパ３０は、例えば、矩形状に形成された本体を有し、当該本体には所定の画像を表示可能な表示部３５を備えている。当該本体の４隅には、導体３０ａが突出して設けられている。そして、本実施形態の表示システムＳは、当該ＰＤＰ装置１０のセンサ部１３に電子ペーパ３０の導体３０ａを接触させることによって、ＰＤＰ装置１０に表示されている画像の一部の領域７に対応する画像を電子ペーパ３０によって表示させる。
【００１８】
次に、ＰＤＰ装置及び電子ペーパの具体的な構成及び機能について説明する。
【００１９】
図２に示すように、ＰＤＰ装置１０は、画像を表示する表示部１１と、画像を表示するためのデータ処理を行う画像処理部１２と、電子ペーパ３０に設けられている導体３０ａの接触の有無を検知するセンサ部１３と、当該導体３０ａが接触する位置（座標）を検出する位置検出部１４と、無線回線２０を用いて所定の情報の送受信を行なう無線通信部１５と、当該無線通信部１５を介して画像データを送信する画像データ送出部１６と、各部を統括的に制御する制御部１７と、を含んで構成される。
【００２０】
制御部１７は、コンピュータとして、演算機能を有するＣＰＵ、作業用ＲＡＭ、不揮発性メモリ、及び各種処理プログラムやデータを記憶するＲＯＭ等を備えて構成されている。そして、ＣＰＵが、例えばＲＯＭ等に記憶された制御プログラムを実行（制御アプリケーションを起動）することにより、コンピュータが本願の表示システムＳとして機能するようになっている。この制御プログラムは、電子ペーパ３０がＰＤＰ装置１０に近接された際にＰＤＰ装置１０の制御部１７が行う処理プログラムである。
【００２１】
なお、本実施形態の位置検出部１４は、本願の認識手段として機能し、本実施形態の画像データ送出部１６は、本願の送信手段として機能する。また、本実施形態の制御部１７は、本願の画像領域決定手段として機能するとともに、新たに候補領域をＰＤＰ装置１０の画面上に表示する第１表示手段として機能する。
【００２２】
制御部１７は、電子ペーパ３０のＰＤＰ装置１０への近接により電子ペーパ３０から送信される解像度情報を無線通信部１５を介して受信することで、画像を表示すべき電子ペーパ３０を特定する。
【００２３】
また、制御部１７は、センサ部１３により電子ペーパ３０に設けられている導体３０ａの接触を検知させ、位置検出部１４により導体３０ａが接触した位置（座標）を検出させ、当該検出された座標に基づいて電子ペーパ３０にて表示すべき画像領域を決定する。
【００２４】
また、制御部１７は、受信した解像度情報に基づいて画像処理部１２により前記画像領域に対応する画像データを電子ペーパ３０の表示画面上に表示可能なようにデータ処理させる。そして、無線通信部１５を介して画像データ送出部１６により当該データ処理された画像データを電子ペーパ３０に送信させる。
【００２５】
一方、電子ペーパ３０は、ＰＤＰ装置１０を検出するＰＤＰ検出部３１と、無線回線２０を用いて所定の情報の送受信を行なう無線通信部３２と、ＰＤＰ装置１０によって決定された画像領域の画像データを受信する画像データ受信部３３と、当該画像データ等の所定の情報を記憶する記憶部３４と、当該画像データに基づいて所定の画像領域の画像を表示画面上に表示する表示部３５と、各部を統括的に制御する制御部３６と、を含んで構成される。
【００２６】
なお、本実施形態の画像データ受信部３３は、本願の受信手段として機能する。
【００２７】
制御部３６は、コンピュータとして、演算機能を有するＣＰＵ、作業用ＲＡＭ、不揮発性メモリ、及び各種処理プログラムやデータを記憶するＲＯＭ等を備えて構成されている。そして、ＣＰＵが、例えばＲＯＭ等に記憶された制御プログラムを実行（制御アプリケーションを起動）することにより、コンピュータが本願の表示システムＳとして機能するようになっている。この制御プログラムは、電子ペーパ３０をＰＤＰ装置１０に近接させ、ＰＤＰ検出部３１によりＰＤＰ装置１０が検出された際に電子ペーパ３０の制御部３６が行う処理プログラムである。
【００２８】
なお、本実施形態の制御部３６は、本願の第２表示手段として機能するものである。
【００２９】
制御部３６は、ＰＤＰ検出部３１によりＰＤＰ装置１０を検出させ、電子ペーパ３０に表示可能な解像度情報を無線通信部３２を介してＰＤＰ装置１０に送信する。また、制御部３６は、ＰＤＰ装置１０から送信される所定の画像領域に対応する画像データを画像データ受信部３３により受信させ、当該画像データを記憶部３４に記憶させる。さらに制御部３６は、記憶部３４に記憶された画像データに基づいて所定の画像領域に対応する画像を表示部３５に表示させる。
【００３０】
次に、図３及び図４を参照して、表示システムの動作例について、ＰＤＰ装置側の動作処理と電子ペーパ側の動作処理とに分けて説明する。図３はＰＤＰ装置の動作例を示すフローチャート図、図４は電子ペーパの動作例を示すフローチャート図である。
【００３１】
−ＰＤＰ装置の動作例−
まず、ＰＤＰ装置の動作例について説明する。
【００３２】
ステップＳ１では、ＰＤＰ装置１０の制御部１７は、画像処理部１２により処理された画像データに基づいて所定の画像を表示部１１に表示させる。
【００３３】
次に、ステップＳ２では、制御部１７は、位置検出部１４にて電子ペーパ３０が検出されたか否かを判断する。具体的には、センサ部１３が電子ペーパ３０に設けられた導体３０ａの接触の有無を検出し、位置検出部１４がその導体３０ａの位置を検出し、その検出結果を制御部１７に出力することで、制御部１７は電子ペーパ３０を検出したと判断するようになっている。なお、この判断が肯定されれば、ステップＳ３に進み、否定されれば、電子ペーパ３０の導体３０ａがセンサ部１３に接触されるまで待機する。
【００３４】
なお、電子ペーパ３０がＰＤＰ装置１０と近接することにより、電子ペーパ３０の制御部３６は無線通信部３２を介してＰＤＰ装置１０に解像度情報を送信する。そして、ＰＤＰ装置１０の制御部１７は、その解像度情報を受信するようになっている。
【００３５】
次に、ステップＳ３では、制御部１７は、導体３０ａの接触位置、及び解像度を特定する。また、制御部１７は当該導体３０ａの接触位置に基づいて電子ペーパ３０に送信すべき画像の画像領域を決定する。本実施形態では、位置検出部１４により四点の座標が検出されるので、当該四点により囲まれた領域を電子ペーパ３０に送信すべき画像領域として決定する。
【００３６】
次に、ステップＳ４では、制御部１７は、画像処理部１２により、解像度情報に基づいて画像領域に対応する画像データを電子ペーパ３０で表示可能なようにデータ処理する。
【００３７】
次に、ステップＳ５では、制御部１７は、画像データ送出部１６によりデータ処理された画像データを無線通信部１５を介して電子ペーパ３０に送信し、処理を終了する。
【００３８】
−電子ペーパの動作例−
次に、電子ペーパの動作例について説明する。
【００３９】
ステップ１１では、電子ペーパ３０の制御部３６は、電子ペーパ３０をＰＤＰ装置１０に近接させることで、ＰＤＰ装置１０がＰＤＰ検出部３１によって検出されたか否かを判断し、この判断が肯定されれば、ステップＳ１２に進み、否定されれば、電子ペーパ３０がＰＤＰ装置１０に近接されＰＤＰ装置１０がＰＤＰ検出部３１によって検出されるまで待機する。
【００４０】
次に、ステップＳ１２では、制御部３６は、無線通信部３２を介して電子ペーパ３０の表示画面の解像度情報をＰＤＰ装置１０へ送信する。
【００４１】
次に、ステップＳ１３では、制御部３６は、画像データ受信部３３に、ＰＤＰ装置１０から無線通信部３２を介して画像データが入力されたか否かを判断する。この判断が肯定されれば、ステップＳ１４に進み、否定されれば、画像データが入力されるまで待機する。
【００４２】
次に、ステップＳ１４では、制御部３６は、表示部３５に当該画像データに基づいて所定の画像領域に対応する画像を表示させ、処理を終了する。
【００４３】
以上に説明したように、本実施形態の表示システムＳは、ＰＤＰ装置１０に所定の画像が表示された状態において、電子ペーパ３０を近接させることで、電子ペーパ３０はＰＤＰ装置１０を認識し、解像度情報をＰＤＰ装置１０に送信する。さらに電子ペーパ３０の導体３０ａをＰＤＰ装置１０の表示画面上に設けられたセンサ部１３に接触させることにより、ＰＤＰ装置１０は、その導体３０ａの接触位置に対応する画像領域を決定し、電子ペーパ３０から送信された解像度情報にしたがって当該画像領域に対応する画像データをデータ処理し、当該データ処理された画像データを画像データ送出部１６により電子ペーパ３０に送信する。電子ペーパ３０はその画像データを受信して、当該画像データに基づいて生成される画像を表示画面上に表示するようになっている。
【００４４】
このようにすれば、本実施形態の表示システムＳは、ＰＤＰ装置１０のセンサ部１３に電子ペーパ３０の導体３０ａを接触させるだけで、ＰＤＰ装置１０の表示画面上に表示されている画像の一部を示す画像領域の画像を電子ペーパ３０にて表示可能となっており、容易にＰＤＰ装置１０に表示されている画像の内、特定部位の画像のみを電子ペーパ３０にて表示させることが可能となる。
【００４５】
ここで、ＰＤＰ装置１０の制御部１７によって決定される画像領域の決定動作について図５を用いて説明する。図５は画像領域を決定するための位置検出例を示す図である。
【００４６】
上記実施形態では、図５（ａ）に示すように、図示しない電子ペーパ３０の本体４隅に導体３０ａを設けて、当該導体３０ａをセンサ部１３に接触させることにより、画像上の四点の座標を位置検出部１４によって検出させて、その四点によって囲まれた領域を画像領域として決定するようになっているが、例えば、図５（ｂ）〜（ｄ）に示すように電子ペーパ３０の本体の少なくとも１箇所に導体３０ａを設けることによって電子ペーパ３０にて表示すべき画像領域を決定することが可能である。
【００４７】
例えば、図５（ｂ）に示すように、電子ペーパ３０の本体の３つの角部に導体３０ａを設けた場合には、位置検出部１４によって画像上の三点の座標が検出される。この場合には、制御部１７は、その三点によって矩形状の領域を推定し、その推定した領域を前記画像領域として決定すればよい。
【００４８】
また、図５（ｃ）に示すように、電子ペーパ３０の本体の２つの角部に導体３０ａを設けた場合には、位置検出部１４によって画像上の二点の座標が検出される。この場合には、制御部１７は、その二点を前記画像領域の一辺として認識し、その一辺を含み、予め定められた大きさを有する矩形状の候補領域７ａ、７ｂを新たに表示画面上に表示し、その表示された複数の候補領域の内、１の候補領域をユーザに選択させて、その候補領域を前記画像領域として決定すればよい。
【００４９】
また、図５（ｄ）に示すように、電子ペーパ３０の本体の１つの角部に導体３０ａを設けた場合には、位置検出部１４によって画像上の一点の座標が検出される。この場合には、制御部１７は、その一点を前記画像領域の１つの角部として認識し、その一点を含み、予め定められた大きさを有する矩形状の候補領域７ａ〜７ｄを新たに表示画面上に表示し、その表示された複数の候補領域の内、１の候補領域をユーザに選択させて、その候補領域を前記画像領域として決定すればよい。
【００５０】
なお、図５（ｃ）、及び（ｄ）において表示される画像の候補領域７ａ〜７ｄは、予めサイズが決定されていてもよいし、電子ペーパ３０から受信される解像度によって当該サイズを決定するようにしても構わない。
【００５１】
このように、ＰＤＰ装置１０は、位置検出部１４によって電子ペーパ３０の位置に応じてＰＤＰ装置１０に表示される画像の少なくとも一点を認識させ、制御部１７によって、当該少なくとも一点に基づいて電子ペーパ３０にて表示させる画像領域を決定させるようになっている。
【００５２】
次に、ＰＤＰ装置１０の位置検出部１４によって導体３０ａが検出された結果、電子ペーパ３０にて表示される画像の候補領域が複数存在する場合の動作例について図６を用いて説明する。図６は他の実施形態における表示システムの動作例を示すフローチャート図である。
【００５３】
ステップＳ２１では、ＰＤＰ装置１０の制御部１７は、画像処理部１２により処理された画像データに基づいて所定の画像を表示部１１に表示させる。
【００５４】
次に、ステップＳ２２では、制御部１７は、位置検出部１４にて電子ペーパ３０が検出されたか否かを判断する。具体的には、センサ部１３が電子ペーパ３０に設けられた導体３０ａの接触の有無を検出し、位置検出部１４がその導体３０ａの位置を検出し、その検出結果を制御部１７に出力することで、制御部１７は電子ペーパ３０を検出したと判断するようになっている。なお、この判断が肯定されれば、ステップＳ２３に進み、否定されれば、電子ペーパ３０の導体３０ａがセンサ部１３に接触されるまで待機する。
【００５５】
なお、電子ペーパ３０がＰＤＰ装置１０と近接することにより、電子ペーパ３０の制御部３６は無線通信部３２を介してＰＤＰ装置１０に解像度情報を送信する。そして、ＰＤＰ装置１０の制御部１７は、その解像度情報を受信することによって通信を行う電子ペーパを特定する。
【００５６】
次に、ステップＳ２３では、制御部１７は、導体３０ａの接触位置、及び解像度を特定する。
【００５７】
次に、ステップＳ２４では、制御部１７は、導体３０ａの接触位置の座標を取得する。
【００５８】
次に、ステップＳ２５では、制御部１７は、当該取得した座標に基づいて推定される画像の候補領域が複数存在するか否かを判断する。具体的には、図５（ａ）、（ｂ）の場合には１の候補領域７ａしか存在せず、図５（ｃ）の場合には、２つの候補領域７ａ、７ｂが存在し、図５（ｄ）の場合には、４つの候補領域７ａ〜７ｄが存在することとなる。なお、この判断が肯定されれば、ステップＳ２６に進み、否定されれば、ステップＳ２７に進む。
【００５９】
ステップＳ２６では、ユーザにより１の候補領域が選択されたか否かを判断する。具体的には、表示されている複数の候補領域の内の１の候補領域中でセンサ部１３が新たに導体３０ａの接触を検知したか否かを判断する。なお、候補領域の選択はユーザが指などでタッチするようにしても構わない。
【００６０】
ステップＳ２７では、制御部１７は、選択された候補領域を電子ペーパ３０に送信すべき画像の画像領域として決定する。なお、候補領域が表示されない場合（例えば、図５（ａ）、（ｂ）の場合）には、制御部１７は、ステップＳ２４で取得した座標に基づいて画像領域を決定する。
【００６１】
そして、制御部１７は、画像処理部１２により、解像度情報に基づいて画像領域に対応する画像データを電子ペーパで表示可能なようにデータ処理し、画像データ送出部１６によりデータ処理された画像データを無線通信部１５を介して電子ペーパ３０に送信し、処理を終了する。また、電子ペーパ３０では、当該送信された画像データに基づいて所定の画像領域に対応する画像を表示部３５に表示させる。
【００６２】
以上に説明したように、本実施形態の表示システムＳは、画像を表示可能なＰＤＰ装置１０と、前記画像のデータを受信可能であって受信したデータに基づく画像を表示可能な電子ペーパ３０と、を備え、前記ＰＤＰ装置１０は、前記電子ペーパ３０に設けられる少なくとも１つの導体３０ａの前記画像上の接触位置を検出する位置検出部１４と、その導体３０ａにより検出される少なくとも一点に基づいて前記画像の一部の画像領域を決定する制御部１７と、前記画像領域の画像データを前記電子ペーパ３０に送信する画像データ送出部１６と、を備え、前記電子ペーパ３０は、前記決定された画像領域にしたがって画像を表示する制御部３６を備えている。
【００６３】
また、前記ＰＤＰ装置１０は、前記位置検出部によって検出される点が一点又は二点である場合に、制御部１７は、当該一点又は二点を含む複数の候補領域７ａ〜７ｄを表示するようになっており、前記制御部１７は、表示される複数の候補領域７ａ〜７ｄの内、ユーザによって選択される１の候補領域を決定し、その１の候補領域を電子ペーパ３０にて表示すべき画像領域として決定するようにしても構わない。
【００６４】
このようにすれば、本実施形態の表示システムＳでは、容易にＰＤＰ装置１０に表示されている画像の内、特定部位の画像のみを電子ペーパ３０にて表示させることが可能となる。
【００６５】
また、ＰＤＰ装置１０は、電子ペーパが前記画像上に近接又は接触することによって少なくとも一点を検出するようになっていれば良く、本実施形態の接触式のセンサに限られるものではない。
【００６６】
なお、本実施形態の表示システムＳは、上述したように接触式のセンサに限られるものではなく、指などを画像に近接させることにより、非接触で当該画面上に表示される画像の一部を選択などできるような方式を適用するようにしても構わない。
【００６７】
また、電子ペーパ３０に設けられる導体３０ａの数は４本以上あっても構わない。その場合には、位置検出部１４によって検出される導体３０ａの接触位置を繋げることによって１つの閉領域を推定し、その閉領域を電子ペーパ３０にて表示すべき画像領域として決定すればよい。
【００６８】
また、表示システムＳに用いられるＰＤＰ装置１０は、一般にパソコン、カーナビと称される装置の表示装置やその他映像を出力する装置に適用することも可能である。一方、電子ペーパ３０も、携帯電話機、ノートパソコン、その他映像を出力可能な装置であって、一般に携帯可能な表示装置に適用することが可能である。
【００６９】
また、本実施形態の表示システムＳは、ＰＤＰ装置１０と電子ペーパ３０が無線を介して接続されているが、例えば、有線により接続されても構わない。
【図面の簡単な説明】
【００７０】
【図１】表示システムの使用形態の一例を示す図である。
【図２】表示システムの概略構成図である。
【図３】ＰＤＰ装置の動作例を示すフローチャート図である。
【図４】電子ペーパの動作例を示すフローチャート図である。
【図５】画像領域を決定するための位置検出例を示す図である。
【図６】他の実施形態における表示システムの動作例を示すフローチャート図である。
【符号の説明】
【００７１】
Ｓ  表示システム
１０  ＰＤＰ装置
１４  位置検出部
１７  制御部
３０  電子ペーパ
３６  制御部
【図１】
0004966149.tif 000002
【図２】
0004966149.tif 000003
【図３】
0004966149.tif 000004
【図４】
0004966149.tif 000005
【図５】
0004966149.tif 000006
【図６】
0004966149.tif 000007